(57)【要約】【課題】噴出ノズル本体を所定角度に傾斜させることによりムースやエアゾールを噴出ノズルから噴出させる形式の噴出ノズル付き正圧缶に噴出ノズル部を含めて被せるカバーキャップであって、噴射ノズル部を保護し、意匠性を付与するカバーキャップ機能と噴出させるディスペンサー機能とを付加することにある。【解決手段】筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した第１垂直板４ａを備えた可動板４と、該可動板４に立設したノズル部５と、前記側板１の切欠部内に嵌入し且つ該側板１の前記切欠部下端部に復元性のある柔軟接続板６を介して立設した第２垂直板８と、前記第１垂直板４ａと第２垂直板８とを接続するヒンジ９からなる押圧手段７とを備える。【選択図】図１
2004089846.tif 000002
【特許請求の範囲】
【請求項１】
筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した可動板４と、該可動板４に立設したノズル部５と、該可動板４の前部に設けた第１垂直板４ａと、前記側板１の切欠部内に嵌入し且つ該側板１の前記切欠部下端部に復元性のある柔軟接続板６を介して立設した第２垂直板８と、前記第１垂直板４ａと第２垂直板８とをヒンジ９を介して連結した押板手段７とを備え、該押板手段７を押圧することにより、前記可動板４とノズル部５と該ノズル部５内に嵌入させた噴出ノズル付き正圧缶の噴出ノズル２３とを前記接続板３を介して傾斜揺動可能にしたことを特徴とする噴出ノズル付き正圧缶カバーキャップ。
【発明の詳細な説明】
【０００１】
【発明の属する技術分野】
本発明は、容器内にプラス気圧を付加したムース（泡状液）やエアーゾール等の液体や気体を充填密封した噴出ノズル付き正圧缶の上部ノズル部に被せる噴出ノズル付き正圧缶カバーキャップに関する。
【０００２】
【従来の技術】
従来より、容器内にプラス気圧を付加して、芳香剤、消臭剤、あるいは整髪液やシャンプー剤、髭剃り剤、あるいは虫避け剤、殺虫剤など、エアゾールやムース（泡状液）等の液体を正圧気体と共に充填密封した正圧缶容器がある。
【０００３】
上記ムース缶やエアゾール缶は、噴出孔や噴出ノズルなどの注出部を備えていて、注出部の近傍に設けた開放用プッシュボタンを押圧することにより、注出部からムースやエアゾールを噴出させることができるようになっている。
【０００４】
また、噴出ノズル付き正圧缶の場合には、噴出ノズル本体を缶の内側方向に押圧したり、所定角度に傾斜させたりすることにより、噴出ノズル部と缶内とが連通し、噴出ノズルが開放して、缶内のムースやエアゾールを噴出ノズルから噴出させることができる形式のものがある。
【０００５】
【発明が解決しようとする課題】
本発明は、噴出ノズル本体を、所定角度に傾斜させることにより、噴出ノズル部と缶内とが連通し、噴出ノズルが開放して、缶内のムースやエアゾールを噴出ノズルから噴出させる形式の噴出ノズル付き正圧缶において、その缶の上部に噴出ノズル部を含めて被せるプラスチック製のカバーキャップであって、正圧缶の噴射ノズル部を保護するとともに、意匠性を付与するためのカバーキャップ機能と、そのカバーキャップの押圧板を横方向から押圧することにより正圧缶の噴出ノズルを傾斜させて、缶内のムースやエアゾールを噴出ノズルから噴出させるディスペンサー機能とを付加することにある。
【０００６】
【課題を解決するための手段】
本発明の請求項１に係る発明は、筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した可動板４と、該可動板４に立設したノズル部５と、該可動板４の前部に設けた第１垂直板４ａと、前記側板１の切欠部内に嵌入し且つ該側板１の前記切欠部下端部に復元性のある柔軟接続板６を介して立設した第２垂直板８と、前記第１垂直板４ａと第２垂直板８とをヒンジ９を介して連結した押圧手段７とを備え、該押圧手段７を押圧することにより、前記可動板４とノズル部５と該ノズル部５内に嵌入させた噴出ノズル付き正圧缶の噴出ノズル２３とを前記接続板３を介して傾斜揺動可能にしたことを特徴とする噴出ノズル付き正圧缶カバーキャップである。
【０００７】
【発明の実施の形態】
本発明の噴出ノズル付き正圧缶カバーキャップの実施の形態を、図１、図３、図４に基づいて以下に詳細に説明すれば、図１は、噴出ノズル付き正圧缶カバーキャップＡの側断面図と、該カバーキャップＡを被せた噴出ノズル付き正圧缶Ｂの側面図、図３はカバーキャップＡの構造を説明する斜視図、図４はカバーキャップＡの全体斜視図である。
【０００８】
本発明のカバーキャップＡは、図１、図３に示すように、筒状の側板１と、該側板１の上端に天板２を備え、該側板１下端部より上側から天板２の中央部に亘って部分的に切欠部１１が設けられ、前記天板２部分の切欠部１１内には、該天板２に復元性のある柔軟接続板３（又は復元性のある薄肉部３）を介して連設した可動板４が水平方向に嵌入していて、該可動板４には、ノズル部５が立設し、該可動板４の前面には第１垂直板４ａが設けられている。
【０００９】
また、前記側板１部分の切欠部１１内には、該側板１部分の前記切欠部１１の下端部１２に復元性のある柔軟接続板６（又は復元性のある薄肉部６）を介して立設した第２垂直板８が設けられ、前記第１垂直板４ａと第２垂直板８とはヒンジ９を介して連結していて、図４に示すように、切欠部１１下端部１２と左右端部１３、１３内にて押圧手段７を構成している。
【００１０】
本発明の噴出ノズル付き正圧缶カバーキャップＡは、図２、図４に示す押圧手段７（ヒンジ９を介して連結した第１垂直板４ａ、第２垂直板８）を、横方向から手指にてキャップ内方に向かって押圧することにより、第１垂直板４ａと第２垂直板８とは接続板６とヒンジ９にて屈折し、水平方向の可動板４は、その前部の第１垂直板４ａ側が、復元性のある柔軟な接続板３を介して矢印方向に下降して、水平状態から所定角度θだけ傾斜状態に揺動し、可動板４に立設したノズル部５が所定角度θだけ倒れるようになっている。
【００１１】
他方、逆Ｌ字型押板７の押圧板８の押圧を解除することにより、垂直板４ａに対する水平板９先端の当接は解除されて、可動板４は復元性のある接続板３の復元力により、図１に示すような水平状態に戻り、逆Ｌ字型押板７の押圧板８は、復元性のある接続板６の復元力により垂直方向に元の姿勢状態に戻る。
【００１２】
本発明の噴出ノズル付き正圧缶カバーキャップＡは、図１、図４に示すように噴出ノズル付き正圧缶Ｂの上部に被せて使用するものであり、図１に示すように正圧缶Ｂの上部に備えるノズル傾斜可動支持部２２に立設した噴出ノズル２３の少なくとも先端部は、カバーキャップＡのノズル部５の立設基端部の内部に嵌入した状態で被せられるものである。
【００１３】
そのため、図２に示すように、押圧手段７を押圧することにより、可動板４及びノズル部５が所定角度θだけ傾斜し、該ノズル部５の立設基端部の内部に嵌入させた噴出ノズル付き正圧缶Ｂの噴出ノズル２３が傾斜揺動して、正圧缶Ｂ内のムースやエアゾールａは、噴出ノズル２３から噴出するとともにノズル部５から噴出される。
【００１４】
【発明の効果】
本発明の噴出ノズル付き正圧缶カバーキャップは、容器内にプラス気圧を付加して、芳香剤、消臭剤、あるいは整髪液やシャンプー剤、髭剃り剤、あるいは虫避け剤、殺虫剤など、エアゾールやムース（泡状液）等の液体を正圧気体と共に充填密封した正圧缶容器であって、噴出ノズル本体を、所定角度に傾斜させることにより、噴出ノズル部と缶内とが連通し、噴出ノズルが開放して、缶内のムースやエアゾールを噴出ノズルから噴出させる形式の噴出ノズル付き正圧缶において、その缶の上部に噴出ノズル部を含めて被せるプラスチック製のカバーキャップであって、正圧缶の噴射ノズル部を保護するとともに、意匠性を付与するためのカバーキャップ機能を備え、そのカバーキャップの押圧板を横方向から押圧することにより正圧缶の噴出ノズルを傾斜させて、缶内のムースやエアゾールを噴出ノズルから噴出させるディスペンサー機能とを付加することが可能である。
【図面の簡単な説明】
【図１】本発明の噴出ノズル付き正圧缶カバーキャップＡの側断面図及びカバーキャップＡを被せた噴出ノズル付き正圧缶Ｂの側面図。
【図２】本発明の噴出ノズル付き正圧缶カバーキャップの押圧板を押圧して、ムースやエアゾールを噴出させた状態を説明するカバーキャップＡの側断面図。
【図３】本発明の噴出ノズル付き正圧缶カバーキャップＡの構造を説明する斜視図。
【図４】噴出ノズル付き正圧缶Ｂに被せた本発明の噴出ノズル付き正圧缶カバーキャップＡの外観斜視図。
【符号の説明】
Ａ…噴出ノズル付き正圧缶カバーキャップ　Ｂ…噴出ノズル付き正圧缶
１…側板　２…天板　３…接続板　４…可動板　４ａ…第１垂直板
５…ノズル部　６…接続板　７…押圧手段　８…第２垂直板　９…ヒンジ
１１…切欠部　１２…切欠部水平下端部　１３…切欠部左右端部
【図１】
2004089846.tif 000003
【図２】
2004089846.tif 000004
【図３】
2004089846.tif 000005
【図４】
2004089846.tif 000006